(57)【要約】      （修正有）【課題】高速全二重通信を可能にし、小型のコンポーネントを提供するためのアンテナモジュールを提供する。【解決手段】アンテナモジュール１は、少なくとも１つのキャリア構造２９と、電磁放射を伝送および受信する少なくとも１つのアンテナ機構９と、アンテナモジュール１をトランスミッタ回路およびレシーバ回路にそれぞれ電気的に接続する少なくとも１つのトランスミッタ接続素子１７および少なくとも１つのレシーバ接続素子１１とを備える。トランスミッタ接続素子１７は、トランスミッタ部７に配置され、レシーバ接続素子１１は、レシーバ部５に配置され、アンテナ機構９は、アンテナ部３に配置される。アンテナ部３は、基本的にレシーバ部５とトランスミッタ部７との間に配置されている。【選択図】図１
2018064278.tif 000002
【特許請求の範囲】
【請求項１】
特にミリ波通信システム（５５）向けのアンテナモジュール（１）であって、  前記アンテナモジュール（１）は、
少なくとも１つのキャリア構造（２９）と、
電磁放射を伝送および受信する少なくとも１つのアンテナ機構（９）と、
前記アンテナモジュール（１）をトランスミッタ回路（３９）およびレシーバ回路（３７）にそれぞれ電気的に接続する少なくとも１つのトランスミッタ接続素子（１７）および少なくとも１つのレシーバ接続素子（１１）と、を備え、
前記少なくとも１つのトランスミッタ接続素子（１７）は、トランスミッタ部（７）に配置され、
前記少なくとも１つのレシーバ接続素子（１１）は、レシーバ部（５）に配置され、
前記少なくとも１つのアンテナ機構（９）は、アンテナ部（３）に配置され、
前記アンテナ部（３）は、基本的に前記少なくとも１つのレシーバ部（５）と前記少なくとも１つのトランスミッタ部（７）との間に配置されている、
アンテナモジュール（１）。
【請求項２】
前記少なくとも１つのキャリア構造（２９）は、フレキシブルプリント回路板基板（３１）である、
請求項１に記載のアンテナモジュール（１）。
【請求項３】
前記アンテナモジュール（１）は、さらなる電気部品（１５、１７、２７）を備えており、
前記さらなる電気部品（１５、１７、２７）は、前記少なくとも１つのアンテナ機構（９）、および／または、
前記トランスミッタ接続素子（１７）および前記少なくとも１つのレシーバ接続素子（１１）のうちの少なくとも１つに接続されている、
請求項１または２に記載のアンテナモジュール（１）。
【請求項４】
前記アンテナモジュール（１）は、
少なくとも前記アンテナ機構（９）に電気的に接続された少なくとも１つの偏波変換回路（２１）を備えている、
請求項３に記載のアンテナモジュール（１）。
【請求項５】
前記少なくとも１つの偏波変換回路（２１）は、円偏波された電磁放射を提供するように構成されている、
請求項４に記載のアンテナモジュール（１）。
【請求項６】
前記アンテナモジュール（１）は、少なくとも１つのフィルタ回路（１５）をさらに備えており、
前記少なくとも１つのフィルタ回路（１５）は、前記少なくとも１つのトランスミッタ接続素子（１７）および／または前記少なくとも１つのレシーバ接続素子（１１）に電気的に接続されている、
請求項３から５のいずれか一項に記載のアンテナモジュール（１）。
【請求項７】
前記キャリア構造（２９）は、全体的にＵ字形を有しており、前記少なくとも１つのアンテナ機構（９）は、前記Ｕ字形の底面（４１）上に位置している、
請求項１から６のいずれか一項に記載のアンテナモジュール（１）。
【請求項８】
前記Ｕ字形の脚部（４３、４５）は、基本的に互いに対して平行であり、互いから隔置されている、
請求項７に記載のアンテナモジュール（１）。
【請求項９】
前記少なくとも１つのレシーバ接続素子（１１）および前記少なくとも１つのトランスミッタ接続素子（１７）は、前記Ｕ字形の異なる脚部（４３、４５）それぞれの自由端（４７、４９）上に配置されている、
請求項７または８に記載のアンテナモジュール（１）。
【請求項１０】
少なくとも１つのさらなる電気部品（１５、２１、２７）が、基本的に前記Ｕ字形の脚部（４３、４５）上に位置している、
請求項７から９のいずれか一項に記載のアンテナモジュール（１）。
【請求項１１】
前記アンテナモジュール（１）は、  基本的に前記Ｕ字形の一方の脚部（４３、４５）上に位置する少なくとも１つの偏波変換回路（２１）と、基本的に他方の脚部（４３、４５）上に位置する少なくとも１つのフィルタ回路（１５）とを備えている、
請求項１０に記載のアンテナモジュール（１）。
【請求項１２】
少なくとも１つの取付け構造（３５）と、少なくとも１つのトランスミッタ回路（３９）と、少なくとも１つのレシーバ回路（３７）とを備えているトランシーバ装置（３３）であって、
前記トランシーバ装置（３３）は、請求項１から１１のいずれか一項に記載の少なくとも１つのアンテナモジュール（１）をさらに備え、前記少なくとも１つのトランスミッタ接続素子（１７）および前記少なくとも１つのレシーバ接続素子（１１）は、それぞれ前記トランスミッタ回路（３９）および前記レシーバ回路（３７）に電気的に接続されている、
トランシーバ装置（３３）。
【請求項１３】
前記少なくとも１つのアンテナモジュール（１）は、取付け構造（３５）の周りで曲げられている、
請求項１２に記載のトランシーバ装置（３３）。
【請求項１４】
前記少なくとも１つのアンテナモジュール（１）は、前記少なくとも１つの取付け構造（３５）を少なくとも部分的に包んでいる、
請求項１２または１３に記載のトランシーバ装置（３３）。
【請求項１５】
前記少なくとも１つの取付け構造（３５）は、前記少なくとも１つのアンテナ機構（９）上で少なくとも１つの伝送素子（６３、７３）を締結する少なくとも１つの締結部材（５９）を備えている、
請求項１２から１４のいずれか一項に記載のトランシーバ装置（３３）。
【発明の詳細な説明】
【技術分野】
【０００１】
本発明は、特にミリ波通信システム向けのアンテナモジュールに関する。本発明はさらに、トランシーバ装置に関する。
【背景技術】
【０００２】
高帯域幅および低遅延の通信システム、たとえばマルチギガビット通信システムでは、通常、トランスミッタまたはレシーバのいずれかが使用される半二重伝送より、トランスミッタおよびレシーバが同時に使用される全二重伝送が好ましい。しかし、入ってくる信号と出ていく信号を明確に分離するために、半二重伝送、すなわち時分割二重技法を使用しなければならないことも多い。
【発明の概要】
【発明が解決しようとする課題】
【０００３】
したがって、本発明の目的は、特に高帯域幅で低遅延のミリ波通信向けの全二重伝送が可能なアンテナモジュールおよびトランシーバ装置を提供することである。
【課題を解決するための手段】
【０００４】
本発明によれば、この目的は、アンテナモジュールによって実現される。このアンテナモジュールは、少なくとも１つのキャリア構造と、電磁放射を伝送および受信する少なくとも１つのアンテナ機構と、モジュールをトランスミッタおよびレシーバにそれぞれ電気的に接続する少なくとも１つのトランスミッタ接続素子および少なくとも１つのレシーバ接続素子とを備える。少なくとも１つのトランスミッタ接続素子は、トランスミッタ部に配置され、少なくとも１つのレシーバ接続素子は、レシーバ部に配置され、少なくとも１つのアンテナ機構は、アンテナ部に配置され、アンテナ部は、基本的に少なくとも１つのトランスミッタ部と少なくとも１つのレシーバ部との間に配置されている。
【０００５】
トランシーバ装置に関して、この目的は、少なくとも１つの取付け構造と、少なくとも１つのトランスミッタ回路と、少なくとも１つのレシーバ回路とを備えるトランシーバ装置によって実現される。このトランシーバ装置は、本発明による少なくとも１つのアンテナモジュールをさらに備え、少なくとも１つのトランスミッタ接続素子および少なくとも１つのレシーバ接続素子は、それぞれトランスミッタおよびレシーバに電気的に接続される。
【０００６】
言い換えれば、トランスミッタ部、アンテナ部、およびレシーバ部は、１本の線に沿って配置され、これらの部分は、トランスミッタ部、アンテナ部、レシーバ部の順序で配置される。本発明によるこれらの部分の配置の結果、キャリア構造上の物体間に距離をあけることができ、少なくとも１つのトランスミッタ接続素子と少なくとも１つのレシーバ接続素子との間の距離は常に、少なくとも１つのトランスミッタ接続素子と少なくとも１つのアンテナ機構との間の距離および／または少なくとも１つのレシーバ接続素子と少なくとも１つのアンテナ機構との間の距離より大きい。
【０００７】
本発明による解決策は、少なくとも１つのトランスミッタ接続素子と少なくとも１つのレシーバ接続素子との間に少なくとも１つのアンテナ機構を配置することによって、少なくとも１つのトランスミッタ接続素子を少なくとも１つのレシーバ接続素子から分離する。この分離により、接続素子間のクロストークが低減され、トランスミッタおよびレシーバが接続素子に接続された場合、トランスミッタとレシーバとの間のクロストークが低減される。したがって、本発明によるアンテナモジュールおよびトランシーバ装置は、全二重モードで使用することができる。
【０００８】
以下、本発明のさらなる改善形態について説明する。追加の改善形態は、特有の応用例で特定の改善形態の特定の利点が必要とされるかどうかに応じて、互いに独立して組み合わせることができる。
【０００９】
第１の有利な改善形態によれば、少なくとも１つのキャリア構造は、フレキシブルプリント回路板基板とすることができる。これにより、少なくともキャリア構造を異なる幾何学的要件に容易に適合させることが可能になる。好ましくは、アンテナモジュールは、フレキシブルプリント回路板であり、それにより、アンテナモジュール全体の形状を容易に変え、異なる要件に適合させることができる。その場合、アンテナモジュールは、好ましくは、必要とされる場合、モジュールの要素間の電気的接続のために可撓性の導線を備える。好ましくは、少なくとも１つのキャリア構造は、アンテナモジュールに沿って進む低損失の電磁波を提供する材料から形成される。少なくとも１つのキャリア構造に対する好ましい材料は、液晶ポリマー（ＬＣＰ）である。
【００１０】
別の有利な改善形態によれば、アンテナモジュールは、全体的にストリップ状の形状を有することができる。特に、少なくとも１つのトランスミッタ部および少なくとも１つのレシーバ部は、ストリップ状の形状のモジュールの２つの反対側の端部に配置することができる。これらの部分が配置される前述の線は、好ましくは、ストリップ状の形状の長手方向に対して平行である。
【００１１】
モジュールは、少なくとも１つのアンテナ機構ならびに／またはトランスミッタ接続素子および少なくとも１つのレシーバ接続素子のうちの少なくとも１つに接続された特に受動型のさらなる電気部品を備えることができる。これにより、コンポーネントの高度な集積および小型の構造が可能になる。さらに、少なくとも１つの電気部品とアンテナモジュールの他の物体との間の導電経路の長さを短くすることができる。
【００１２】
特に、モジュールは、少なくともアンテナ機構に電気的に接続された少なくとも１つの偏波変換回路を備えることができる。少なくとも１つの偏波変換回路は、好ましくは、アンテナから放射される電磁放射に直接影響することができるように、少なくとも１つのアンテナ機構に電気的に接続される。
【００１３】
少なくとも１つの偏波変換回路を備えるアンテナモジュールの好ましい実施形態では、少なくとも１つの偏波変換回路は、円偏波された電磁放射を提供するように構成される。この場合、少なくとも１つのアンテナモジュールは、円偏波された電磁波を放射し、それにより、本発明によるアンテナモジュールと通信することができるように構成および配置されたトランシーバ装置に対してアンテナモジュールが回転自在になる。
【００１４】
アンテナモジュール上のコンポーネントの集積をさらに増大させ、導電経路の長さを短く維持するために、モジュールは、少なくとも１つのトランスミッタ接続素子および／または少なくとも１つのレシーバ接続素子に電気的に接続された少なくとも１つのフィルタ回路をさらに備えることができる。そのようなフィルタ回路は、たとえば、帯域通過フィルタ、低域通過フィルタ、高域通過フィルタ、および／もしくは任意の他の必要とされるフィルタ、またはこれらの任意の組合せを備えることができる。好ましくは、少なくとも１つのフィルタ回路は、少なくとも１つの偏波変換回路に電気的に直接接続される。
【００１５】
キャリア構造、好ましくは完成したアンテナモジュールは、全体的にＵ字形を有することができ、少なくとも１つのアンテナ機構は、Ｕ字形の底面上に位置する。この場合、小型のアンテナモジュールを実現することができる。Ｕ字形は、前述のフレキシブルプリント回路板基板をキャリア構造として使用することによって、容易に形成することができる。Ｕ字形は、トランスミッタおよび／またはレシーバをアンテナモジュール上のそれぞれの接続素子へ容易に接続するのにさらに役立つことができる。少なくとも１つのアンテナ機構からの電磁放射を遮らないように、少なくとも１つのアンテナ機構は、好ましくは、Ｕ字形の底面の外側に位置する。Ｕ字形の脚部は、小型の構造を維持し、脚部上のコンポーネント間の良好な分離を可能にするために、基本的に互いに対して平行であり、互いから隔置されている。
【００１６】
少なくとも１つのレシーバ接続素子と少なくとも１つのトランスミッタ接続素子との間のクロストークを防止するために、少なくとも１つのトランスミッタ接続素子および少なくとも１つのレシーバ接続素子は、異なる脚部それぞれの自由端上に配置することができる。この配置もまた、アンテナモジュールがトランスミッタおよびレシーバに接続されたとき、トランスミッタとレシーバとの間のクロストークを低減または解消することができる。
【００１７】
少なくとも１つの特に受動型のさらなる電気部品は、好ましくは、基本的に一方の脚部上に位置する。これにより、Ｕ字形の底面を小型に維持し、したがって全体的に小型の構造を可能にするのに役立つことができる。特に、Ｕ字形の底面は、基本的に、アンテナモジュールのアンテナ部を提供することができる。
【００１８】
少なくとも１つのフィルタ回路を少なくとも１つのトランスミッタ接続素子に容易に電気的に接続し、少なくとも１つの偏波変換回路を少なくとも１つのレシーバ接続素子に容易に接続するために、モジュールは、好ましくは、基本的に一方の脚部上に位置する少なくとも１つの偏波変換回路と、基本的に他方の脚部上に位置する少なくとも１つのフィルタ回路とを備えることができる。
【００１９】
本発明によるトランシーバ装置は、少なくとも１つのアンテナモジュールが取付け構造の周りで曲げられているという点で、さらに改善することができる。それによって、アンテナモジュールを取付け構造の形状およびサイズに容易に適合させることができる。この場合、アンテナモジュールは、好ましくは、たとえばフレキシブルプリント回路板基板から形成されたキャリア構造を備えることによって、可撓性を有する。
【００２０】
トランシーバ装置を小型に維持するために、少なくとも１つのアンテナモジュールは、少なくとも１つの取付け構造を少なくとも部分的に包むことができる。
【００２１】
少なくとも１つの取付け構造は、少なくとも１つのアンテナ機構上で少なくとも１つの伝送素子、特に誘電体ファイバまたは誘電体アンテナを締結する少なくとも１つの締結部材を備えることができる。少なくとも１つの締結部材は、取付け構造上へ係止することによって、少なくとも１つの伝送素子を締結するように特に形成することができる。少なくとも１つの締結部材は、たとえば、相補型の形状の係止または締結要素に対するピン、係止フック、または凹部の形状を有することができる。
【００２２】
以下、本発明およびその改善形態について、例示的な実施形態を使用して、図面を参照しながらより詳細に説明する。上述したように、これらの実施形態に示す様々な特徴は、特有の応用例で互いに独立して使用することができる。
【００２３】
以下の図では、同じ機能および／または同じ構造を有する要素を同じ参照符号で指す。
【図面の簡単な説明】
【００２４】
【図１】本発明によるアンテナモジュールの好ましい実施形態の上面図である。
【図２】図１に示すアンテナモジュールを備える本発明によるトランシーバ装置の一実施形態を示す図である。
【図３】通信システムにおける本発明による２つのトランシーバ装置の例示的な応用例を示す図である。
【図４】通信システムにおける本発明による２つのトランシーバ装置の別の例示的な応用例を示す図である。
【図５】本発明によるトランシーバ装置の別の例示的な実施形態を示す図である。
【発明を実施するための形態】
【００２５】
以下、アンテナモジュール１の好ましい実施形態について、図１に関して説明する。アンテナモジュール１は、全体的にストリップ状の形状を有し、基本的にストリップ状の形状の長手方向Ｌに対して平行に延びる。
【００２６】
アンテナモジュール１は、３つの部分、すなわちアンテナ部３、レシーバ部５、およびトランスミッタ部７に分離することができる。アンテナ部３は、レシーバ部５とトランスミッタ部７との間に配置される。言い換えれば、長手方向Ｌに沿って、レシーバ部５に続いてアンテナ部３が位置し、アンテナ部３に続いてトランスミッタ部７が位置する。
【００２７】
アンテナ部３は、アンテナ機構９を備える。アンテナ機構９は、好ましくは、アンテナモジュール１の中央に配置される。アンテナ機構９は、電磁放射を放出および受信することが意図される。
【００２８】
レシーバ部５は、アンテナモジュール１をレシーバ（図示せず）に接続するレシーバ接続素子１１を備える。好ましくは、レシーバ接続素子１１は、長手方向Ｌにおいてモジュール１の端部１３に配置される。
【００２９】
レシーバ部５は、フィルタ回路１５をさらに備える。フィルタ回路１５は、レシーバ接続素子１１に電気的に接続される。
【００３０】
トランスミッタ部７は、アンテナモジュール１をトランスミッタ（図示せず）に接続するトランスミッタ接続素子１７を備える。好ましくは、トランスミッタ接続素子１７は、長手方向Ｌにおいてレシーバ接続素子１１が位置する端部１３とは反対側に位置するモジュール１の端部１９に配置される。
【００３１】
トランスミッタ部７は、偏波変換回路２１をさらに備える。偏波変換回路２１は、好ましくは、アンテナ機構９から放射することができる円偏波された電磁放射を提供する円偏波器２３として形成される。偏波変換回路２１は、好ましくは、アンテナ機構９およびトランスミッタ接続素子１７に電気的に直接接続される。さらに、偏波変換回路２１は、フィルタ回路１５に電気的に接続される。言い換えれば、フィルタ回路１５は、偏波変換回路２１を介してアンテナ機構９に接続される。
【００３２】
偏波変換回路２１をフィルタ回路１５に電気的に接続するために、偏波変換回路２１からフィルタ回路１５まで、アンテナ部３を横切って導線が延びる。導線２５は、長手方向Ｌに対して平行に延びており、長手方向Ｌに直交する方向にアンテナ機構９から隔置されている。
【００３３】
好ましくは、フィルタ回路１５および偏波変換回路２１は、受動型電気部品２７である。
【００３４】
アンテナモジュール１は、キャリア構造２９を備える。キャリア構造２９は、好ましくは、プリント回路板用の基板である。キャリア構造２９は、基本的に、アンテナモジュール１の全体的な形状を画定し、したがって長手方向Ｌに対して基本的に平行に延びる全体的にストリップ状の形状を有する。
【００３５】
好ましくは、アンテナ機構９、偏波変換回路２１、フィルタ回路１５、ならびに接続素子１１および１７などの上述した構成要素は、キャリア構造２９上に配置されて、回路板を形成する。
【００３６】
キャリア構造２９は、好ましくは、可撓性を有する。特に、キャリア構造２９は、好ましくは、フレキシブルプリント回路板基板３１から形成される。したがって、少なくともアンテナモジュールの構成要素を接続するコネクタは、好ましくは、可撓性の導線である。アンテナ機構９、偏波変換回路２１、およびフィルタ回路１５のうちの少なくとも１つが、少なくとも部分的に可撓性の導線などの可撓性の材料から形成されることも可能である。
【００３７】
キャリア構造２９についての好ましい材料は、液晶ポリマー（ＬＣＰ）である。
【００３８】
図２は、本発明によるトランシーバ装置３３の一実施形態を示す。トランシーバ装置３３は、取付け構造３５を備える。取付け構造３５は、好ましくは、トランスミッタ回路３９およびレシーバ回路３７を保持する。好ましくは、トランスミッタ回路３９およびレシーバ回路３７は、これらの回路間のクロストークを防止するために、取付け構造３５の反対側に配置される。
【００３９】
別法として、トランシーバ装置において、トランシーバ回路およびレシーバ回路が取付け構造３５上に直接取り付けられるのではなく、別の場所に設けられる。この場合、取付け構造３５は、これらの回路への接続を確立するように構成された接続素子を保持する。
【００４０】
トランシーバ装置３３は、本発明によるアンテナモジュール１を備える。図２に示すような好ましい実施形態では、アンテナモジュール１のトランスミッタ接続素子１７は、トランスミッタ回路３９に電気的に接続され、レシーバ接続素子１１は、レシーバ回路３７に電気的に接続されている。
【００４１】
アンテナモジュール１は、全体的にＵ字形を有しており、アンテナ機構９は、Ｕ字形の底面４１上に位置する。Ｕ字形の底面４１は、基本的に、アンテナモジュール１のアンテナ部３によって形成される。Ｕ字形の脚部４３および４５は、底面４１から延びており、互いに対して基本的に平行であり、互いから隔置されている。
【００４２】
脚部４３は、基本的に、レシーバ部５によって形成されており、レシーバ接続素子１１およびフィルタ回路１５を保持する。脚部４５は、基本的に、トランスミッタ部７によって形成されており、トランスミッタ接続素子１７および偏波変換回路２１を保持する。それによって、接続素子１１および１７は、脚部４３および４５の自由端４７および４９上に位置する。
【００４３】
アンテナモジュール１のＵ字形は、可撓性のアンテナモジュール１を取付け構造３５の周りで曲げることによって実現することができる。しかし、アンテナモジュール１はまた、形成ステップにおいて、アンテナモジュール１を取付け構造３５上に取り付ける前に曲げることもできる。
【００４４】
別法として、アンテナモジュール１は、固体材料から形成されたキャリア構造２９を有することができる。このとき、Ｕ字形または別の必要とされる形状を実現するために、キャリア構造２９は、たとえば射出成形によって上記形状に形成することができる。
【００４５】
取付け構造３５は、Ｕ字形のアンテナモジュール１によって部分的に包まれる。その結果、アンテナモジュール１は、取付け構造３５の外面５１上に配置される。この配置により、アンテナ機構９からの乱れのない放射が可能になる。
【００４６】
アンテナ機構９から離れる方を向いている側に、トランシーバ装置３３は、接続領域５３を備える。接続領域５３は、取付け構造３５内へスリット状に延びており、スリットの平面は、トランスミッタ回路３９とレシーバ回路３７との間に延び、アンテナモジュール１の脚部４３および４５に対して基本的に平行である。接続領域５３は、プリント回路板を受け取るために使用することができる。トランシーバ装置３３は、そのような基板を接続領域５３内に受け取ったときにプリント回路板上の相補型コンタクトに電気的に接触するように構成された電気コンタクトを接続領域５３（図示せず）内に備えることができる。
【００４７】
好ましくは、レシーバ回路３７およびトランスミッタ回路３９は、取付け構造３５の側壁５４上に配置することができる電気トレースによって、プリント回路板に電気的に接続される。
【００４８】
取付け構造３５の側壁５４および後壁５６は、残りの取付け構造３５から突出することができ、それによりレシーバ回路３７およびトランスミッタ回路３９はそれぞれ、側壁５４および後壁５６によって少なくとも部分的に取り囲まれる。側壁５４および後壁５６は、好ましくは、スリット状の接続領域５３に直交する方向に延出または突出する。側壁５４および後壁５６は、レシーバ回路３７およびトランスミッタ回路３９の電気コンタクト上に塗布することができる樹脂（図示せず）が、レシーバ回路３７およびトランスミッタ回路３９が配置された領域から流れ落ちるのを防止することができる。
【００４９】
側壁５４および後壁５６は、好ましくは、側壁５４および後壁５６より残りの取付け構造３５からさらに遠くへ突出することができる支持部材５８を備える。支持部材５８は、好ましくは、側壁５４および後壁５６間の相互接続部ならびにアンテナモジュール１のより近くに位置する側壁５４の端部に配置される。支持部材５８は、レシーバ回路３７およびトランスミッタ回路３９上でヒートシンク構造を支持および位置決めするために使用することができる。
【００５０】
図３は、通信システム５５の一例を示す。通信システム５５は、本発明による２つのトランシーバ装置３３を備え、トランシーバ装置３３にはそれぞれ、アンテナモジュール１が取り付けられている。トランシーバ装置３３はそれぞれ、プリント回路板５７に電気的に接続され、プリント回路板５７は、接続領域５３内に受け取られている。
【００５１】
図３に示すトランシーバ装置３３は、１つの点を除いて、図２に関して説明したものと基本的に同一である。第２の実施形態のトランシーバ装置３３は、それぞれ２つの締結部材５９を備えている。締結部材５９は、ピンとして成形されており、取付け構造３５の側面６１から延びる。この側面６１は、アンテナモジュール１の脚部４３，４５に直交して配置される。締結部材５９は、アンテナ機構９上に伝送素子を締結するために使用することができる。
【００５２】
単なる例として、図３は、２つのトランシーバ装置３３を相互接続する高分子ファイバ６３を示す。ファイバ６３の各端部６５は、トランシーバ装置３３を受け取るように構成されたソケット６７を備える。嵌合された状態で、トランシーバ装置３３は、ファイバ６３がアンテナ機構９に接触または密接するように、ソケット６７内に受け取られる。それによって、アンテナ機構９からの電磁放射をファイバ６３内へ結合することができ、電磁放射をファイバ６３からアンテナ機構９内へ結合することができる。
【００５３】
ソケット６７は相補型の締結部材６９を備え、締結部材６９は開口７１を備える。開口７１は、トランシーバ装置３３のピン状の締結部材５９に対して相補型の形状であり、それにより、開口７１内に締結部材５９を受け取って、トランシーバ装置３３とソケット６７との間のポジティブフィットを確立することができる。
【００５４】
アンテナモジュール１が円偏波器２３を備えるため、通信システム５５には、回転自在という利点がある。言い換えれば、ファイバ６３の長さ方向７２に対するアンテナ機構９の配向は、２つのトランシーバ装置３３間の伝送の品質に影響しない。どちらのトランシーバ装置３３も、基本的に、伝送に悪影響を与えることなく、方向７２の周りで回転させることができる。
【００５５】
相補型の締結部材６９に対する別法として、ソケット６７はまた、他の手段または方法によって、トランシーバ装置３３に接続することができる。たとえば、ソケット６７をトランシーバ装置３３に接着することができ、特に取付け構造３５に接着することができる。
【００５６】
本発明によるトランシーバ装置３３およびアンテナモジュール１の別の応用例を図４に示す。簡潔にするために、前述した実施形態に対する違いのみを述べる。
【００５７】
図３に関して説明したファイバ６３を使用する接続の代わりに、図４に示す通信システム５５は、無線伝送を使用することが可能である。
【００５８】
したがって、各トランシーバ装置３３は、アンテナ７３を備える。アンテナ７３は、好ましくは、誘電体材料から形成される。アンテナ７３は、アンテナ７３が基本的にＵ字形のアンテナモジュール１の底面４１に直交して延びるように、アンテナモジュール１のアンテナ部３上に配置される。
【００５９】
図５は、本発明によるトランシーバ装置３３の別の例示的な実施形態を示す。トランシーバ装置３３は、プリント回路板５７に接続されており、キャップ状のソケット６７を備える。ソケット６７は、トランシーバ装置３３、すなわち取付け構造３５上に、取り外しができないように取り付けることができる。特に、ソケット６７は、接着によって取付け構造３５に付着させることができる。
【００６０】
ソケット６７は、アンテナモジュール１のアンテナ機構９に直接接触することができるインターフェース部材７５を備える。インターフェース部材７５は、アンテナ機構９とファイバ６３との間の電磁放射の伝送を可能にするために、ファイバ６３に接触することができる。ファイバ６３は、固体構造および低損失接続をアンテナ機構９に提供するように、ソケット６７、特にインターフェース部材７５に取り付けることができる。
【００６１】
好ましくは、ファイバ６３は、ソケット６７および／またはトランシーバ装置３３を損傷することなくファイバ６３の交換が可能になるように、ソケット６７に接続される。たとえば、ファイバ６３は、ファイバ６３の後の交換を可能にする熱収縮チューブまたは他の適当な手段によって、ソケット６７に接続することができる。
【００６２】
レシーバ回路３７をプリント回路板５７に電気的に接続するために、取付け構造３５の外面５１上に導体トレース７７が配置される。好ましくは、トランシーバ装置３３のうち、トランスミッタ回路３９を備える側も同等に接続されることに留意されたい。
【００６３】
導体トレース７７は、プリント回路板５７上の素子にはんだ付けすることができ、それによってさらなるトレースまたは他の導線（図示せず）に接続することができる。
【００６４】
レシーバ回路３７に近接して配置された導体トレース７７の端部７９は、ボンドワイア（図示せず）によってレシーバ回路３７に電気的に接続することができる。回路３７を導体トレース７７に接続した後、少なくとも端部７９のこの領域は、端部７９とボンドワイアとの間の接触を保護するために、非導電性樹脂を備えることができる。樹脂はまた、ボンドワイアの両端部を保護するために、少なくとも部分的にレシーバ回路３７上に付着させることができる。側壁５４および後壁５６は、樹脂が取付け構造３５から流れ落ちるのを防止する。
【００６５】
ヒートシンク構造８１を破線で示す。ヒートシンク構造８１は、支持部材５８上に配置することができ、支持部材５８によって位置決めすることができる。
【００６６】
前述したように、トランスミッタ回路３９が位置するトランシーバ装置３３の反対側は、状況に応じて適切に配置することができ、好ましくは、上述したような類似の特徴を備えている。
【符号の説明】
【００６７】
１  アンテナモジュール
３  アンテナ部
５  レシーバ部
７  トランスミッタ部
９  アンテナ機構
１１  レシーバ接続素子
１３  アンテナモジュールの端部
１５  フィルタ回路
１７  トランスミッタ接続素子
１９  アンテナモジュールの端部
２１  偏波変換回路
２３  円偏波器
２５  導線
２７  受動型電気部品
２９  キャリア構造
３１  フレキシブルプリント回路板基板
３３  トランシーバ装置
３５  取付け構造
３７  レシーバ回路
３９  トランスミッタ回路
４１  底面
４３  Ｕ字形の脚部
４５  Ｕ字形の脚部
４７  脚部の自由端
４９  脚部の自由端
５１  取付け構造の外面
５３  接続領域
５４  側壁
５５  通信システム
５６  後壁
５７  プリント回路板
５８  支持部材
５９  締結部材
６１  側面
６３  ファイバ
６５  ファイバの端部
６７  ソケット
６９  相補型の締結部材
７１  相補型の締結部材内の開口
７２  ファイバの長さ方向
７３  アンテナ
７５  インターフェース部材
７７  導体トレース
７９  導体トレースの端部
８１  ヒートシンク構造
Ｌ  長手方向
【図１】
2018064278.tif 000003
【図２】
2018064278.tif 000004
【図３】
2018064278.tif 000005
【図４】
2018064278.tif 000006
【図５】
2018064278.tif 000007
【外国語明細書】
2018064278000001.pdf